(57)【特許請求の範囲】
【請求項１】
底面と、
上面破断線を有する上面と、
底面と上面との間に設けられた上方の側面パネル、下方の側面パネル、および左右の側面パネルとを備え、
上面上に接着剤を介して上方の側面パネルに連結する揺動板が取付けられ、
上面上に揺動板に対向して下方の側面パネルに連結するカバーが取付けられ、左右の側面パネルに、上面破断線に連続する側面破断線が設けられ、
揺動板の先端から揺動板を引上げると、上面破断線を介して破断して上面の一部が揺動板とともに揺動し、かつ側面が側面破断線を介して破断されて開口を形成し、
底面に、上面破断線および側面破断線に連続する底面折曲線が設けられ、
揺動板を引上げる際、底面が底面折曲線に沿って折曲がり、
上面は各々が上面破断線を有する一対の上面パネルからなることを特徴とする内容物収納容器。
【請求項２】
底面と、
上面破断線を有する上面とを備え、
上面上に接着剤を介して底面に連結する揺動板が取付けられ、
上面上に揺動板に対向して底面に連結するカバーが取付けられ、
揺動板の先端から揺動板を引上げると、上面破断線を介して破断して上面の一部が揺動板とともに揺動して開口を形成し、
底面に、上面破断線に連続する底面折曲線が設けられ、
揺動板を引上げる際、底面が底面折曲線に沿って折曲がり、
上面は各々が上面破断線を有する一対の上面パネルからなることを特徴とする内容物収納容器。
【請求項３】
底面のうち底面折曲線の両端に、部分的破断線が設けられていることを特徴とする請求項１乃至２のいずれか記載の内容物収納容器。
【請求項４】
カバーに揺動板の先端が挿入される挿入用切込みを設けたことを特徴とする請求項１乃至２のいずれか記載の内容物収納容器。
【請求項５】
揺動板に切込みにより係止片を設け、カバーに係止片が挿入される挿入用切込みを設けたことを特徴とする請求項１乃至２のいずれか記載の内容物収納容器。
【請求項６】
揺動板にカバー内側に挿入される挿入片と、カバー外側に突出する突出片とを交互に設けたことを特徴とする請求項１乃至２のいずれか記載の内容物収納容器。
【請求項７】
上面に、上面破断線により揺動板の外側に突出する突出片を設けたことを特徴とする請求項１乃至２のいずれか記載の内容物収納容器。
【請求項８】
紙製ブランクを組立ててなることを特徴とする請求項１乃至２にいずれか記載の内容物収納容器。
【発明の詳細な説明】
【０００１】
【発明の属する技術分野】
本発明は内容物収納容器に係り、とりわけ収納された内容物の取扱いを容易に行なうことができる内容物収納容器に関する。
【０００２】
【従来の技術】
従来より、プラスチック製のケースや紙製の小袋などの収納容器内に複数の内容物が収納されることがある。使用に際して、内容物収納容器から内容物を１つ１つ取出している。
【０００３】
【発明が解決しようとする課題】
上述のように、内容物収納容器から内容物が１つ１つ取り出されるが、収納容器から内容物を１つ１つ取出す作業は煩雑である。
【０００４】
しかしながら、従来より、内容物の取出作業を容易に行なうことができる内容物収納容器は未だ開発されていない。
【０００５】
本発明はこのような点を考慮してなされたものであり、収納された内容物の取扱いを容易に行なうことができる内容物収納容器を提供することを目的とする。
【０００６】
本発明は、底面と、上面破断線を有する上面と、底面と上面との間に設けられた上方の側面パネル、下方の側面パネル、および左右の側面パネルとを備え、上面上に接着剤を介して上方の側面パネルに連結する揺動板が取付けられ、上面上に揺動板に対向して下方の側面パネルに連結するカバーが取付けられ、左右の側面パネルに、上面破断線に連続する側面破断線が設けられ、揺動板の先端から揺動板を引上げると、上面破断線を介して破断して上面の一部が揺動板とともに揺動し、かつ側面が側面破断線を介して破断されて開口を形成し、底面に、上面破断線および側面破断線に連続する底面折曲線が設けられ、揺動板を引上げる際、底面が底面折曲線に沿って折曲がり、上面は各々が上面破断線を有する一対の上面パネルからなることを特徴とする内容物収納容器である。
本発明は、底面と、上面破断線を有する上面とを備え、上面上に接着剤を介して底面に連結する揺動板が取付けられ、上面上に揺動板に対向して底面に連結するカバーが取付けられ、揺動板の先端から揺動板を引上げると、上面破断線を介して破断して上面の一部が揺動板とともに揺動して開口を形成し、底面に、上面破断線に連続する底面折曲線が設けられ、揺動板を引上げる際、底面が底面折曲線に沿って折曲がり、上面は各々が上面破断線を有する一対の上面パネルからなることを特徴とする内容物収納容器である。
【０００７】
本発明は、底面のうち底面折曲線の両端に、部分的破断線が設けられていることを特徴とする内容物収納容器である。
【００１２】
本発明は、カバーに揺動板の先端が挿入される挿入用切込みを設けたことを特徴とする内容物収納容器である。
【００１３】
本発明は、揺動板に切込みにより係止片を設け、カバーに係止片が挿入される挿入用切込みを設けたことを特徴とする内容物収納容器である。
【００１４】
本発明は、揺動板にカバー内側に挿入される挿入片と、カバー外側に突出する突出片とを交互に設けたことを特徴とする内容物収納容器である。
【００１５】
本発明は、上面に、上面破断線により揺動板の外側に突出する突出片を設けたことを特徴とする内容物収納容器である。
【００１６】
本発明は、紙製ブランクを組立ててなることを特徴とする内容物収納容器である。
【００１７】
【発明の実施の形態】
第１の実施の形態
以下、図面を参照して本発明の第１の実施の形態について説明する。図１（ａ）−（ｄ）および図１１は、本発明による内容物収納容器の第１の実施の形態を示す図である。
【００１８】
図１（ａ）−（ｄ）および図１１に示すように内容物収納容器（収納容器）１１は折曲線１５を有する底面１２と、上面破断線１４ｂを有する上面１４と、側面破断線１３ｂを有する側面１３とを備え、全体として箱型を有している。このうち側面１３は４面からなっている。
【００１９】
また、収納容器１１のうち上面１４の上面破断線１４ｂで囲まれた図１（ａ）−（ｄ）の上方部分１４ａには、揺動板２０が接着剤により取付けられている。
【００２０】
さらにこの揺動板２０は折曲線２０ｂを有するとともに、その先端２０ａを持上げた際に、上面１４も揺動板２０とともに持上げられるようになっている。
【００２１】
この場合、上面１４は上面破断線１４ｂを介して破断し、同時に側面１３も側面破断線１３ｂを介して破断する。そして上面１４のうち上面破断線１４ｂより揺動板２０側の部分１４ａと、側面１３のうち側面破断線１３ｂより揺動板２０側の部分１３ａと、底面１２の折曲線１５より揺動板２０側の部分１２ａは、揺動板２０とともに底面１２の折曲線１５を介して（折曲線１５を中心として）揺動する。
【００２２】
このように揺動板２０と、底面１２の部分１２ａと、側面１３の部分１３ａと、上面１４の部分１４ａとが底面１２の折曲線１５を介して揺動することにより、収納容器１１に開口１１ａを形成することができ、この開口１１ａから内部の内容物を取出すことができる。
【００２３】
この場合、内容物として以下のものが考えられる。
【００２４】
（１）細長いスティック状の内容物
・スティック状物体：メモリースティック・電池・筆記具・禁煙パイプなど
・スティックパウチ包装された分包体
（固体）チョコ・ビスケット・ケーキ・焼き菓子・ガム・キャンディ・タバコなど
（液体）内服薬・調味料・試薬・医薬品・嗽薬・甘味料・美容液・香水・消臭剤・洗剤・濃縮飲料など
（粘体）調味料・接着剤・ジャム・羊羹、ゼリーなどの菓子・シャンプー・洗顔パック剤など
（粉体）洗剤・調味料・甘味料・医薬品など
（２）平たく分包された内容物
（固体）ＣＤ、ＦＤなどディスク状記憶媒体・ウェットティッシュ（化粧落とし）
（粘体）スライスチーズなど
（３）さしみ状に斜めに入れた薄い内容物
（固体）チョコ・ガム・ウエットティッシュなど
（液体）内服薬・調味料・試薬・医薬品・嗽薬・甘味料・美容液・香水・消臭剤・洗剤・濃縮飲料など
（粘体）調味料・接着剤・ジャム・羊羹、ゼリーなどの菓子・シャンプー・洗顔パック剤など
（粉体）洗剤・調味料・甘味料・医薬品など
さらに図１（ａ）−（ｄ）および図１１に示すように、上面１４上には、揺動板２０と向き合うようにカバー２１が取付けられている。このカバー２１は先端２１ａに上面１４との間にすき間が形成され、一度収納容器１１から引上げられて揺動した揺動板２０の先端２０ａをカバー２１の先端２１ａ内に挿入することができる（図１（ｄ）参照）。
【００２５】
次に収納容器１１を作製するためのブランク板３０について、図１１により説明する。図１１に示すように、ブランク板３０は板紙からなり、底面１２となる底面パネル３２と、底面パネル３２に連結されるとともに４つの側面１３を形成する４つの側面パネル３３，３３，３３，３３と、左右の側面パネル３３に連結され上面１４を形成する一対の上面パネル３４，３４とを有している。また側面パネル３３，３３，３３，３３には、収納容器１１の強度を向上させるため、フラップパネル３７が連結されている。各フラップパネル３７は、隣接する側面パネル３３のうち、一方の側面パネル３３に連結され、他方の側面パネル３３と分離している。
【００２６】
また、図１１において上方の側面パネル３３には、揺動板２０が取付けられ、下方の側面パネル３３には、カバー２１が取付けられている。
【００２７】
さらに図１１に示すように、左右の側面パネル３３，３３および上面パネル３４，３４には、各々側面破断線１３ｂおよび上面破断線１４ｂが設けられている。これら側面破断線１３ｂおよび上面破断線１４ｂは、揺動板２０を持上げた際に破断する部分であり、この側面破断線１３ｂと上面破断線１４ｂは互いに連続して形成されている。また、側面破断線１３ｂに連続して、底面パネル３２に、折曲線１５が設けられている。
【００２８】
ところで、揺動板２０には傾斜したのりしろ線２０ｃが設けられ、揺動板２０はこののりしろ線２０ｃの内側の接着位置３５に塗布された接着剤により上面パネル３４に取付けられる。このため、揺動板２０のうちのりしろ線の外側は上面１４に接着されないので、揺動板２０を引上げた際、上面１４はのりしろ線２０ｃの内側から徐々に引き上げられることになり、揺動板２０に一気に負荷がかかることはない。またのりしろ線２０Ｃを折罫とすることにより、揺動板２０を引き上げた場合に上面１４をのりしろ線２０Ｃに沿って変形しやすくなり、揺動板０にかかる負担をより軽減できる。
【００２９】
次にこのような構成からなる本実施の形態の作用について説明する。まず図１１に示すようなブランク板３０を準備する。次にブランク板３０上に、内容物を載置する。その後、ブランク板３０の底面パネル３２に対して４つの側面パネル３３，３３，３３，３３を立上げ、フラップパネル３７を側面パネル３３，３３，３３，３３内に折り畳む。次に図１１に示す左右の側面パネル３３，３３に対して一対の上面パネル３４，３４を折畳む。
【００３０】
次に下方の側面パネル３３に対して、カバー２１を折畳み、一対の上面パネル３４，３４上にカバー２１を接着位置３６に設けられた接着剤により接着する。その後上方の側面パネル３３に対して揺動板２０を折畳み、一対の上面パネル３４，３４上に揺動板２０を接着位置３５に設けられた接着剤により接着する。
【００３１】
このようにしてブランク板３０から形成された箱型容器１１が得られる（図１（ａ）（ｂ）参照）。ここで図１（ａ）は箱形容器１１の正面側の斜視図であり、図１（ｂ）は箱形容器１１の背面側の斜視図である。
【００３２】
使用に際しては、揺動板２０の先端２０ａを持上げることにより、収納容器１１の上面１４および側面１３を各々上面破断線１４ｂおよび側面破断線１３ｂを介して破断することができる。この際、上面１４のうち揺動板２０側の部分１４ａと、側面１３のうち揺動板２０側の部分１３ａと、底面１２のうち揺動板２０側の部分１２ａを、揺動板２０とともに底面１２の折曲線１５を介して揺動させる。このことにより、収納容器１１に開口１１ａを形成することができる（図１（ｃ）参照）。
【００３３】
次に収納容器１１内の内容物が開口１１ａから取出される。次に揺動板２０を元の位置まで揺動し、揺動板２０の先端２０ａをカバー２１の先端２１ａ内に挿入することにより、収納容器１１を再密封（リクローズ）することができる（図１（ｄ）参照）。
【００３４】
以上のように本実施の形態によれば、揺動板２０を揺動するだけで、上面１４の揺動板２０側の部分１４ａと、側面１３の揺動板２０側の部分１３ａと、底面１２の揺動板２０側の部分１２ａを揺動板２０とともに揺動させて収納容器１１に比較的大きな開口１１ａを形成することができる。このためこの開口１１ａから収納容器１１内の内容物を容易に取出すことができる。内容物を取出した後は、揺動板２０を元の位置まで揺動させ、揺動板２０の先端２０ａをカバー２１の先端２１ａ内に挿入するだけで、収納容器１１のリクローズを行なうことができる。
【００３５】
第２の実施の形態
次に図２（ａ）−（ｄ）および図１２により本発明の第２の実施の形態について説明する。
【００３６】
図２（ａ）−（ｄ）および図１２に示す第２の実施の形態は、ブランク板３０の形状が異なるのみであり、他は図１（ａ）−（ｄ）および図１１に示す第１の実施の形態と略同一である。
【００３７】
図２（ａ）−（ｄ）および図１２において、図１（ａ）−（ｄ）および図１１に示す実施の形態と同一部分には同一符号を符して詳細な説明は省略する。
【００３８】
図２（ａ）−（ｄ）および図１２において、収納容器１１を形成するブランク板３０は、全体として輪郭３０ａに沿って形成された略正方形状をなしている。このため多種のブランク板３０を無駄なく作製することができ、製造コストの大幅低減を図ることができる。
【００３９】
第３の実施の形態
次に図３（ａ）−（ｃ）および図１３により本発明の第３の実施の形態について説明する。
【００４０】
図３（ａ）−（ｃ）および図１３に示す第３の実施の形態は、底面１２に折曲線を設けることなく、揺動板２０を底面１２と側面１３との間の縁部１２ｂを介して揺動させたものであり、他は図１（ａ）−（ｄ）および図１１に示す第１の実施の形態と略同一である。
【００４１】
図３（ａ）−（ｃ）および図１３において、図１（ａ）−（ｄ）および図１１に示す実施の形態と同一部分には同一符号を符して詳細な説明は省略する。
【００４２】
図３（ａ）−（ｃ）において、図３（ａ）は収納容器１１を示す斜視図であり、図３（ｂ）は収納容器１１の開封状態を示す図であり、図３（ｃ）は収納容器１１のリクローズ状態を示す図である。
【００４３】
図３（ａ）−（ｃ）において、揺動板２０は折曲線２０ｂを有するとともに、その先端２０ａを持上げた際に、上面１４も揺動板２０とともに持上げられる。
【００４４】
この場合、上面１４は上面破断線１４ｂを介して破断し、同時に側面１３も側面破断線１３ｂを介して破断する。そして上面１４のうち上面破断線１４ｂより揺動板２０側の部分１４ａと、側面１３のうち側面破断線１３ｂより揺動板２０側の部分１３ａは、揺動板２０とともに底面１２と側面１３との間の縁部１２ｂを介して揺動する。
【００４５】
このように、揺動板２０と、側面１３の部分１３ａと、上面１４の部分１４ａとが底面１２の縁部１２ｂを介して揺動することにより、収納容器１１に開口１１ａを形成することができる。
【００４６】
なお、図３（ａ）−（ｃ）に示す収納容器１１は、図１３に示すブランク板３０により作製される。
【００４７】
第４の実施の形態
次に図４（ａ）−（ｃ）および図１４により、本発明の第４の実施の形態について説明する。
【００４８】
図４（ａ）−（ｃ）および図１４に示す第４の実施の形態は、底面１２に折曲線を設けることなく、かつ側面１３から側面破断線を削除したものであり、他は図１（ａ）−（ｄ）および図１１に示す第１の実施の形態と略同一である。
【００４９】
図４（ａ）−（ｃ）および図１４において、図１（ａ）−（ｄ）および図１１に示す実施の形態と同一部分には同一符号を符して詳細な説明は省略する。
【００５０】
図４（ａ）−（ｃ）において、図４（ａ）は収納容器１１を示す斜視図であり、図４（ｂ）は収納容器１１の開封状態を示す図であり、図４（ｃ）は収納容器１１のリクローズ状態を示す図である。
【００５１】
図４（ａ）−（ｃ）において、揺動板２０は折曲線２０ｂを有するとともに、その先端２０ａを持上げた際に、上面１４も揺動板２０とともに持上げられる。
【００５２】
この場合、上面１４は上面破断線１４ｂを介して破断する。そして上面１４のうち上面破断線１４ｂより揺動板２０側の部分１４ａは、揺動板２０とともに、底面１２と側面１３との間の縁部１２ｂを介して揺動する。
【００５３】
このように、揺動板２０と、上面１４の部分１４ａとが底面１２の縁部１２ｂを介して揺動することにより、収納容器１１に開口１１ａを形成することができる。
【００５４】
なお、図４（ａ）−（ｃ）に示す収納容器１１は、図１４に示すブランク板３０により作製される。
【００５５】
第５の実施の形態
次に図５（ａ）（ｂ）および図１５により、本発明の第５の実施の形態について説明する。図５（ａ）（ｂ）に示すように、収納容器１１は折曲線１５を有する底面１２と、上面破断線１４ｂを有する上面１４とからなっており、全体として扁平型を有している。
【００５６】
また、収納容器１１の上面１４のうち上面破断線１４ｂで囲まれた部分１４ａには、揺動板２０が接着剤により取付けられている。
【００５７】
さらにこの揺動板２０は折曲線２０ｂを有するとともに、その先端２０ａを持上げた際に、上面１４も揺動板２０とともに持上げられるようになっている。
【００５８】
この場合、上面１４は上面破断線１４ｂを介して破断し、上面１４のうち上面破断線１４ｂより揺動板２０側の部分１４ａと、底面１２の折曲線１５より揺動板２０側の部分１２ａは、揺動板２０とともに底面１２の折曲線１５を介して（折曲線１５を中心として）揺動する。
【００５９】
このように揺動板２０と、底面１２の部分１２ａと、上面１４の部分１４ａとが底面１２の折曲線１５を介して揺動することにより、収納容器１１に開口１１ａを形成することができ、この開口１１ａから内部の内容物を取出すことができる。
【００６０】
この場合、内容物として以下のものが考えられる。
【００６１】
（１）薄く細長い内容物
ヘアピン・クリップ・ようじ・縫い針・ガムなどの菓子など
（２）薄く平たい内容物
ＣＤ、ＦＤなどディスク状記録媒体・油取り紙・紙状石鹸など
さらに図５（ａ）（ｂ）に示すように、上面１４上には、揺動板２０と向き合うようにカバー２１が取付けられている。このカバー２１は先端２１ａに上面１４との間にすき間が形成され、一度収納容器１１から引上げられて揺動した揺動板２０の先端２０ａをカバー２１の先端２１ａ内に挿入することができる。
【００６２】
次に収納容器１１を作製するためのブランク板３０について、図１５により説明する。図１５に示すように、ブランク板３０は板紙からなり、底面１２となる底面パネル３２と、底面パネル３２に連結され上面１４を形成する一対の上面パネル３４，３４とを有している。
【００６３】
また、図１５において底面パネル３２には、揺動板２０と、カバー２１が取付けられている。
【００６４】
さらに図１５に示すように、上面パネル３４，３４には、上面破断線１４ｂが設けられている。この上面破断線１４ｂは、揺動板２０を持上げた際に破断する部分である。また上面破断線１４ｂに連続して、底面パネル３２に、折曲線１５が設けられている。
【００６５】
また揺動板２０には、傾斜したのりしろ線２０ｃが設けられ、揺動板２０はこののりしろ線２０ｃの内側の接着位置３５に塗布された接着剤により、上面パネル３４に取付けられる。このため揺動板２０のうちのりしろ線２０ｃの外側は上面１４に接着されないので、揺動板２０を引上げた際、上面１４はのりしろ線２０ｃの内側から徐々に引上げられることになり、揺動板２０に一気に負荷が生じることはない。
【００６６】
次にこのような構成からなる本実施の形態の作用について説明する。まず図１５に示すようなブランク板３０を準備する。次にブランク板３０上に、内容物を載置する。その後、ブランク板３０の底面パネル３２に対して一対の上面パネル３４，３４を折畳む。
【００６７】
次にカバー２１を折畳み、一対の上面パネル３４，３４上にカバー２１を接着位置３６に設けられた接着剤により接着する。その後上方の側面パネル３３に対して揺動板２０を折畳み、一対の上面パネル３４，３４上に揺動板２０を接着位置３５に設けられた接着剤により接着する。
【００６８】
このようにしてブランク板３０から形成された収納容器１１が得られる（図１（ａ）参照）。
【００６９】
使用に際しては、揺動板２０の先端２０ａを持上げることにより、収納容器１１の上面１４を上面破断線１４ｂを介して破断することができる。この際、上面１４のうち揺動板２０側の部分１４ａと、底面１２のうち揺動板２０側の部分１２ａを、揺動板２０とともに底面１２の折曲線１５を介して揺動させる。このことにより、収納容器１１に開口１１ａを形成することができる（図１（ｂ）参照）。
【００７０】
次に収納容器１１内の内容物が開口１１ａから取出される。次に揺動板２０を元の位置まで揺動し、揺動板２０の先端２０ａをカバー２１の先端２１ａ内に挿入することにより、収納容器１１を再密封（リクローズ）することができる。
【００７１】
以上のように本実施の形態によれば、揺動板２０を揺動するだけで、上面１４の揺動板２０側の部分１４ａと、底面１２の揺動板２０側の部分１２ａを揺動板２０とともに揺動させて収納容器１１に比較的大きな開口１１ａを形成することができる。このためこの開口１１ａから収納容器１１内の内容物を容易に取出すことができる。
【００７２】
第６の実施の形態
次に図６（ａ）−（ｃ）および図１６により、本発明の第６の実施の形態について説明する。
【００７３】
図６（ａ）−（ｃ）および図１６に示す実施の形態は、底面１２に折曲線を設けることなく、揺動板２０を底面１２と上面１４との間の縁部１２ｂを介して揺動させたものであり、他は図５（ａ）（ｂ）および図１５に示す第５の実施の形態と略同一である。
【００７４】
図６（ａ）−（ｃ）および図１６において、図５（ａ）（ｂ）および図１５に示す第５の実施の形態と同一部分には同一符号を符して詳細な説明は省略する。
【００７５】
図６（ａ）−（ｃ）において、図６（ａ）は収納容器１１を示す斜視図であり、図６（ｂ）は収納容器１１の開封状態を示す図であり、図６（ｃ）は収納容器１１のリクローズ状態を示す図である。
【００７６】
図６（ａ）−（ｃ）において、揺動板２０は折曲線２０ｂを有するとともに、その先端２０ａを持上げた際に、上面１４も揺動板２０とともに持上げられる。
【００７７】
この場合、上面１４は上面破断線１４ｂを介して破断する。そして上面１４のうち上面破断線１４ｂより揺動板２０側の部分１４ａは、揺動板２０とともに、底面１２の縁部１２ｂを介して揺動する。
【００７８】
このように、揺動板２０と、上面１４の部分１４ａとが底面１２の縁部１２ｂを介して揺動することにより、収納容器１１に開口１１ａを形成することができる。
【００７９】
なお、図６（ａ）−（ｃ）に示す収納容器１１は、図１６に示すブランク板３０により作製される。
【００８０】
第７の実施の形態
次に図７乃至図１０により本発明の第７の実施の形態について説明する。
【００８１】
図７乃至図１０に示す実施の形態は、収納容器１１をリクローズするための機構が異なるのみであり、他は図１および図１１に示す第１の実施の形態と略同一である。
【００８２】
まず図７（ａ）に示すように、カバー２１に挿入用切込み２２が設けられている。この挿入用切込み２２に揺動板２１の先端２０ａを挿入することによって、収納容器１１をリクローズ状態とすることができる（図７（ｂ））。
【００８３】
また図８（ａ）に示すように、揺動板２０に切込みを形成して係止片２３を設けるとともに、カバー２１に挿入用切込み２２を設けてもよい。収納容器１１のリクローズ状態において、揺動板２０の係止片２３がカバー２１の挿入用切込み２２に挿入されてリクローズ状態を保持する（図８（ｂ））。
【００８４】
さらに図９（ａ）に示すように、揺動板２０の先端２０ａを挿入片とするとともに、先端２０ａの両側に一対の突出片２４を設けてもよい。収納容器１１のリクローズ状態において、揺動板２０の先端２０ａがカバー２１の内側に挿入され、揺動板２０の突出片２４がカバー２１の外方に突出してリクローズ状態を保持する（図９（ｂ））。
【００８５】
また図１０（ａ）に示すように、上面１４に上面破断線１４ｂにより形成され、揺動板２０側へ突出する突出片２５を設けてもよい。収納容器１１のリクローズ状態において、上面の突出片２５が揺動板２０の外側へ突出してリクローズ状態を保持する（図１０（ｂ））。
【００８６】
【発明の効果】
以上のように本発明によれば、揺動板を持上げるだけで、上面を上面破断線から破断させることができる。同時に上面の一部を揺動板とともに揺動させることにより、比較的大きな開口を形成することができる。収納容器内の内容物はこの開口から容易に取出される。
【図面の簡単な説明】
【図１】本発明による内容物収納容器の第１の実施の形態を示す図。
【図２】本発明による内容物収納容器の第２の実施の形態を示す図。
【図３】本発明による内容物収納容器の第３の実施の形態を示す図。
【図４】本発明による内容物収納容器の第４の実施の形態を示す図。
【図５】本発明による内容物収納容器の第５の実施の形態を示す図。
【図６】本発明による内容物収納容器の第６の実施の形態を示す図。
【図７】本発明による内容物収納容器の第７の実施の形態を示す図。
【図８】図７に示す内容物収納容器の変形例を示す図。
【図９】図７に示す内容物収納容器の変形例を示す図。
【図１０】図７に示す内容物収納容器の変形例を示す図。
【図１１】図１に示す内容物収納容器のブランク板を示す図。
【図１２】図２に示す内容物収納容器のブランク板を示す図。
【図１３】図３に示す内容物収納容器のブランク板を示す図。
【図１４】図４に示す内容物収納容器のブランク板を示す図。
【図１５】図５に示す内容物収納容器のブランク板を示す図。
【図１６】図６に示す内容物収納容器のブランク板を示す図。
【符号の説明】
１１  収納容器
１２  底面
１２ａ  揺動板側の部分
１２ｂ  縁部
１３  側面
１３ａ  揺動板側の部分
１３ｂ  側面破断線
１４  上面
１４ａ  揺動板側の部分
１４ｂ  上面破断線
１５  折曲線
２０  揺動板
２０ａ  先端
２１  カバー
２２  挿入用切込み
２３  係止片
２４，２５  突出片
３０  ブランク板
【図１】
0004150179.tif 000002
【図２】
0004150179.tif 000003
【図３】
0004150179.tif 000004
【図４】
0004150179.tif 000005
【図５】
0004150179.tif 000006
【図６】
0004150179.tif 000007
【図７】
0004150179.tif 000008
【図８】
0004150179.tif 000009
【図９】
0004150179.tif 000010
【図１０】
0004150179.tif 000011
【図１１】
0004150179.tif 000012
【図１２】
0004150179.tif 000013
【図１３】
0004150179.tif 000014
【図１４】
0004150179.tif 000015
【図１５】
0004150179.tif 000016
【図１６】
0004150179.tif 000017